(57)【特許請求の範囲】
【請求項１】
容器本体の内部に収容した湿気硬化型のシーリング材の上面に、周縁部にシール部材を塗布した樹脂円板を載置し、フォロアープレートを介して圧送ポンプにより容器本体内のシーリング材を取り出す際、前記樹脂円板を容器本体の内壁面に沿って下降させるように構成して成る湿気硬化型シーリング材の包装容器において、
前記樹脂円板の周縁部に塗布するシール部材を、一液湿気硬化型のシーリング剤で、硬化物性値が、引張強度２メガパスカル(MPa) 以下で、かつ、硬さが、硬度JIS A20 以下のものを使用したことを特徴とする湿気硬化型シーリング材の包装容器。
【発明の詳細な説明】
【０００１】
【発明の属する技術分野】
この発明は、湿気硬化型シーリング材の包装容器にかかわり、更に詳しくは容器本体の内部に充填した湿気硬化型シーリング材を効率良く取り出すことを可能とした湿気硬化型シーリング材の包装容器に関するものである。
【０００２】
【従来の技術】
一般に、湿気硬化型のシーリング材（一液型湿気硬化型のシーリング材）の保管，輸送には、厳密な湿気防止が必要であり、従来では、図２に示すように、ドラム缶等の容器１内に湿気硬化型のシーリング材Ｗを充填し、シーリング材Ｗの上面は、図示しないフォロアープレートを載置した状態で、圧送ポンプにより抽出する際、フォロアープレートの底面がシーリング材Ｗで汚れるのを防止したり、作業性の簡易化のために、周縁部にシール部材２を塗布した中空円板状のポリエチレン板３を載置させたり、また図３に示すように、アルミラミネートシート４を被せて保管していた。
【０００３】
なお、５はポリエチレン板４の中空部６に貼り付けたフィルム、７は乾燥剤、８はシール剤９を介して容器１の開口部１ａに介在させるプラスチックシート、１０は容器蓋を示している。
【０００４】
【発明が解決しようとする課題】
然しながら、上記のような中空円盤状のポリエチレン板４を載置させた構成の場合、内袋２とポリエチレン板４の外周縁部との間が気密性がないため、経時的変化でポリエチレン板４の周囲のシーリング材Ｗが硬化し、圧送ポンプにより抽出する際、フォロアープレートが降下しなくなると言う問題があった。
【０００５】
そこで、図３に示すように、容器１の開口部１ａに取付ける容器蓋１０の部分にアルミラミネートフィルムや、プラスチックシート８等でシールしたとしても湿気の浸入は完全に防止できず、コーナ部におけるシーリング材Ｗａは硬化してしまうのが現状であった。
また、フォロアープレートが降下しなくなるのを防止するために、ポリエチレン板４の周囲にワセリン等を塗布してシールすることも考えられるが、高温時にワセリンが流れてしまいシール不良となる問題があり、更にシーリング材Ｗと同材質のものでシールした場合には、シーリング材Ｗの強度が高く、しかも硬度が一般的にJIS A40 〜50と高いために、シーリング材Ｗの抽出時にフォロアープレートが降下しなくなってしまうと言う問題があった。
【０００６】
この発明は、かかる従来の課題に着目して案出されたもので、樹脂円板の周縁部に塗布するシール部材を、低強度で、かつ低硬度の物性のシール剤を使用することにより、圧送ポンプによりシーリング材を抽出する際にもフォロアープレートが降下しなくなると言うことはなく、容器本体の内部に充填した湿気硬化型シーリング材を効率良く取り出すことを可能とした湿気硬化型シーリング材の包装容器を提供することを目的とするものである。
【０００７】
【課題を解決するための手段】
この発明は、上記目的を達成するため、容器本体の内部に収容した湿気硬化型のシーリング材の上面に、周縁部にシール部材を塗布した樹脂円板を載置し、フォロアープレートを介して圧送ポンプにより容器本体内のシーリング材を取り出す際、前記樹脂円板を容器本体の内壁面に沿って下降させるように構成して成る湿気硬化型シーリング材の包装容器において、樹脂円板の周縁部に塗布するシール部材を、一液湿気硬化型のシーリング剤で、硬化物性値が、引張強度２メガパスカル(MPa) 以下で、かつ、硬さが、硬度JIS A20 以下のものを使用したことを要旨とするものである。
【０００８】
この発明は上記のように構成され、樹脂円板の周縁部に塗布するシール剤を、低強度で、かつ低硬度の物性のシール剤、即ち、一液湿気硬化型のシーリング剤で、硬化物性値が、引張強度２メガパスカル(MPa) 以下で、かつ、硬さが、硬度JIS A20 以下のものを使用することで、圧送ポンプによりシーリング材を抽出する際にもフォロアープレートが降下しなくなると言うことはなく、容器本体の内部に充填した湿気硬化型シーリング材を効率良く取り出すことが出来るものである。
【０００９】
【発明の実施の形態】
以下、添付図面に基づきこの発明の実施の形態を説明する。
なお、従来例と同一構成要素は、同一符号を付して説明は省略する。
図１は、この発明の実施形態を示す容器本体１Ａの断面図であって、容器本体１Ａの内部に湿気硬化型のシーリング材Ｗを充填し、このシーリング材Ｗの上面には、周縁部に低強度で、かつ低硬度の物性のシール部材１１を塗布した中空円板状の樹脂円板１２（ポリエチレン板）が載置してある。
【００１０】
前記シール部材１１は、一液湿気硬化型のシーリング剤で、硬化物性値が、引張強度２メガパスカル(MPa) 以下で、かつ、硬さが、硬度JIS A20 以下のものを使用するものである。
シーリング剤の硬化物性値が、引張強度２メガパスカル(MPa) 以上で、かつ、硬さが、シーリング材Ｗと同様に、硬度JIS A40 以上のものでは、図示しない圧送ポンプによりシーリング材Ｗを抽出する際、フォロアープレート１３が降下しなくなると問題がある。
【００１１】
そして、上記のように容器本体１Ａの内部に湿気硬化型のシーリング材Ｗの上面に、周縁部に低強度で、かつ低硬度の物性のシール部材１１を塗布した中空円板状の樹脂円板１２（ポリエチレン板）を載置し、更に図２に示すように、容器１の開口部１Ｘに、アルミラミネートシート８ａと、シール剤９を介して容器蓋１０により密封してシーリング材Ｗを貯蔵した結果、シール状態は良好で、シール部材１１のビードの硬化は見られたが、樹脂円板１２の下部におけるシーリング材Ｗの硬化はなかった。なお、貯蔵条件としては、４０℃，８０％ＲＨ，１ヶ月で行った。
【００１２】
この発明の実施形態では、樹脂円板１２の下面側のシーリング材Ｗｘが硬化がなく、樹脂円板１２の周縁部に塗布するシール部材１１を、上述したように低強度で、かつ低硬度の物性のシーリング剤を塗布することにより、シール性は勿論の事、圧送ポンプによりシーリング材Ｗを抽出する際にも、フォロアープレート１３がシール部材１１の硬化により下降しなくなるのを有効に防止でき、容器本体１Ａの内部に充填した湿気硬化型シーリング材Ｗを効率良く取り出すことが出来るものである。
【００１３】
【発明の効果】
この発明は、上記のように容器本体の内部に収容した湿気硬化型のシーリング材の上面に、周縁部にシール部材を塗布した樹脂円板を載置し、フォロアープレートを介して圧送ポンプにより容器本体内のシーリング材を取り出す際、前記樹脂円板を容器本体の内壁面に沿って下降させるように構成して成る湿気硬化型シーリング材の包装容器において、前記樹脂円板の周縁部に塗布するシール部材を、一液湿気硬化型のシーリング剤で、硬化物性値が、引張強度２メガパスカル(MPa) 以下で、かつ、硬さが、硬度JIS A20 以下のものを使用したので、圧送ポンプによりシーリング材を抽出する際にもフォロアープレートが降下しなくなると言うことはなく、容器本体の内部に充填した湿気硬化型シーリング材を効率良く取り出すことが出来る効果がある。
【図面の簡単な説明】
【図１】この発明の実施形態を示す容器本体の断面図である。
【図２】従来の中空円盤状のポリエチレン板をシーリング材上に載置させた容器本体の断面図である。
【図３】従来のアルミラミネートシートをシーリング材上に載置させた容器本体の断面図である。
【符号の説明】
１Ａ  容器本体                          １Ｘ  開口部
８ａ  アルミラミネートシート              ９  シール剤
１０  容器蓋                            １１  シール部材
１２  樹脂円板                        １３  フォロアープレート
Ｗ  シーリング材
【図１】
0003683043.tif 000002
【図２】
0003683043.tif 000003
【図３】
0003683043.tif 000004